(57)【要約】【課題】地震等が起きても倒壊を防ぐことができ、しかも分解して移転が可能であり、再組立が容易であり、耐久性が高い墓石および墓石の付属品を提供する。【解決手段】下側の石Ａに上側の石Ｂを積み上げて、相互に石固定具で連結する連結構造であって、石固定具３が、上端に雄ネジが形成された下部ジョイント４と、下端に雌ネジ孔が形成され、雌ネジ孔が雄ネジに螺合可能な上部ジョイント５とからなり、下側の石Ａには、下部ジョイント４の外径より内径の大きい下取付穴ｈが形成されており、上側の石Ｂには、上部ジョイント５の外径より内径の大きい上取付穴ｈが形成されており、下部ジョイント４が下取付穴ｈに挿入され、接着剤が充填された状態で固化しており、上部ジョイント５が下部ジョイント４に螺合していると共に、上取付穴ｈに挿入され、接着剤が充填された状態で固化している。【選択図】図１
0003107304.tif 000002
【実用新案登録請求の範囲】
【請求項１】
下側の石に上側の石を積み上げて、相互に石固定具で連結する連結構造であって、
前記石固定具が、
上端に雄ネジが形成された下部ジョイントと、
下端に雌ネジ孔が形成され、該雌ネジ孔が前記雄ネジに螺合可能な上部ジョイントとからなり、
前記下側の石には、前記下部ジョイントの外径より内径の大きい下取付穴が形成されており、
前記上側の石には、前記上部ジョイントの外径より内径の大きい上取付穴が形成されており、
前記下部ジョイントが前記下取付穴に挿入され、接着剤が充填された状態で固化しており、
前記上部ジョイントが前記下部ジョイントに螺合していると共に、前記上取付穴に挿入され、接着剤が充填された状態で固化している
ことを特徴とする墓石の連結構造。
【考案の詳細な説明】
【技術分野】
【０００１】
本考案は、墓石の連結構造に関する。さらに詳しくは、下側の石に上側の石を積み上げて相互に石固定具で連結する墓石の連結構造に関する。
【背景技術】
【０００２】
従来の代表的な墓石110を、図１９に基づき説明する。基礎105には、納骨箱107を収納するための納骨室106が基礎105部分に設けられている。この基礎105の上には下台111が載せられており、下台111の上には、上台112が載せられ、その上に棹石113が載せられている。
下台111には、前面から下面にかけて空洞部111hが形成されている。この下台111の前面には、空洞部111hを塞ぐ位置に水鉢130が配設されている。この水鉢130は、空洞部111hの蓋の役割を果たすものであり、この水鉢130を取り外せば、納骨室106に納められている骨壺107を出し入れできる。
【０００３】
【特許文献１】実登３０７４７１３号
【考案の開示】
【考案が解決しようとする課題】
【０００４】
しかるに、前記従来の墓において、墓石110の上台112は下台111に載せられているだけであり固定されておらず、棹石113も上台112に載せられているだけであり固定されていない。したがって、地震などが起きれば、上台112や棹石113が倒壊してしまう。
かと云って、下台111と上台112との間にコンクリートを塗り、上台112と棹石113の間にもコンクリートを塗って、コンクリートで固定してしまえば倒壊は防げるが、墓石110の施工に手間がかかりコストも高くなる。しかも、転居や公共事業等により墓100を移動しなければならないときに下台111、上台112および棹石113が基礎105に固定されているため移転ができなくなるという問題がある。
とくに水鉢130は、コンクリート等によって下台111に固定してしまうと、空洞部111hの前面開口を開閉することができなくなるので納骨ができなくなるという問題がある。
【０００５】
本考案はかかる事情に鑑み、地震等が起きても倒壊を防ぐことができ、しかも分解して移転が可能であり、再組立が容易であり、耐久性が高い墓石および墓石の付属品を提供することを目的とする。
【課題を解決するための手段】
【０００６】
第１考案の墓石の連結構造は、下側の石に上側の石を積み上げて、相互に石固定具で連結する連結構造であって、前記石固定具が、上端に雄ネジが形成された下部ジョイントと、下端に雌ネジ孔が形成され、該雌ネジ孔が前記雄ネジに螺合可能な上部ジョイントとからなり、前記下側の石には、前記下部ジョイントの外径より内径の大きい下取付穴が形成されており、前記上側の石には、前記上部ジョイントの外径より内径の大きい上取付穴が形成されており、前記下部ジョイントが前記下取付穴に挿入され、接着剤が充填された状態で固化しており、前記上部ジョイントが前記下部ジョイントに螺合していると共に、前記上取付穴に挿入され、接着剤が充填された状態で固化していることを特徴とする。
【考案の効果】
【０００７】
第１考案によれば、下側の石の上面に固定された下部ジョイントの雄ネジを、上側の石の下面に埋設固定された上部ジョイントの雌ネジに螺合させているので、上側の石を下側の石に強固に連結することができる。したがって、地震等によって上側の石が倒壊することを防ぐことができる。また、上側の石を回転させれば、上部ジョイントの雌ネジと下部ジョイントの雄ネジの螺合を外すことができるため、上側の石を下側の石から取り外すことができる。したがって、墓石を移転するときに、墓石の解体が容易にできる。さらに、墓石を組み立てるときには、下部ジョイントの雄ネジに、上部ジョイントの雌ネジを螺合すれば、上側の石を下側の石に連結できる。したがって、墓石を移転したときに、墓石の再組立を簡単かつ正確に行うことができる。
【考案を実施するための最良の形態】
【０００８】
つぎに、本考案の実施形態を図面に基づき説明する。
図１は石固定具３の説明図であり、（Ａ）は上部ジョイント５と下部ジョイント４とが分離した状態の説明図、（Ｂ）は上部ジョイント５と下部ジョイント４とで上側の石と下側の石とを連結する要領の説明図である。図２は埋込み金具１とターンバックル２の説明図である。図３は水鉢固定具６の説明図である。
【０００９】
まず、石固定具３を図１に基づき説明する。
石固定具３は上部ジョイント５と下部ジョイント４とからなる。
下部ジョイント４は、円錘台状をした本体４ａを有しており、その上端には、雄ネジ４ｓが設けられている。この本体４ａの素材は、例えば真ちゅうやステンレス等の防錆素材である。この下部ジョイント４の本体４ａは、前記下側の石Ａの上面の固定具取付穴ｈに挿入され、石材用の接着剤によって固定される。
【００１０】
上部ジョイント５は、逆円錘台状をした本体５ａを有しており、その下面から上方に向かって雌ネジ５ｈが形成されており、この雌ネジ５ｈは前記下部ジョイント４の雄ネジ４ｓに螺合することができる。この本体５ａの素材は、例えば真ちゅうやステンレス等の防錆素材である。この上部ジョイント５の本体５ａは、前記上側の石Ｂの下面の取付穴ｈに挿入され、石材用の接着剤によって固定される。
【００１１】
つぎに、石固定具３で下側の石Ａと上側の石Ｂの連結する手順を説明する。
なお、下側の石Ａの上面および上側の石Ｂの下面には、取付穴ｈおよび取付穴ｈがそれぞれ形成されている。この取付穴ｈは、円錘台状の穴であり、取付穴ｈは、逆円錘台状の穴であり、ともに後述する石固定具３を挿入して固定するためのものである。取付穴ｈの内径は、石固定具３の上部ジョイント５の本体５ａの外径よりも若干大きく形成されている。
【００１２】
まず、（Ｂ）図に示すように、まず、下側の石Ａの取付穴ｈに接着剤を入れ、この取付穴ｈに石固定具３の下部ジョイント４の本体４ａを挿入して固定する。
ついで、この下部ジョイント４の雄ネジ４ｓに、上部ジョイント５の雌ネジ５ｈを螺合し、上部ジョイント５を下部ジョイント４に取り付ける。
ついで、上側の石Ｂの取付穴ｈに接着剤を入れて、この取付穴ｈに上部ジョイント５の本体５ａを挿入しながら、上側の石Ｂを下側の石Ａの上に載せる。
【００１３】
このとき、下側の石Ａと上側の石Ｂの中心がずれていても、上側の石Ｂの取付穴ｈの内径は、上部ジョイント５の本体５ａの外径よりもよりも若干大きく形成されているから、取付穴ｈに入れた接着剤が固まる前に、上側の石Ｂの取付穴ｈに上部ジョイント５の本体５ａを入れたまま、上側の石Ｂの位置を下側の石Ａの上でずらせば、上側の石Ｂと下側の石Ａの中心を、簡単に合わせることができる。
【００１４】
接着剤が固まれば、上側の石Ｂの取付穴ｈに上部ジョイント５の本体５ａが固定され、上部ジョイント５は下部ジョイント４と連結しているので、上側の石Ｂが下側の石Ａに連結されるのである。
このため、石固定具３によって、上側の石Ｂは下側の石Ａに強固に連結されている。
【００１５】
また、上側の石Ｂを回転させれば、上側の石Ｂとともに石固定具３の上部ジョイント５が回転し、上部ジョイント５の雌ネジ５ｈと下部ジョイント４の雄ネジ４ｓの螺合が外れるので、上側の石Ｂを下側の石Ａから取り外すことができる。
【００１６】
つぎに、埋込み金具１を図２に基づき説明する。
埋込み金具１は、例えば真ちゅうやステンレス等の防錆素材の板の一端を曲げて形成したものである。この埋込み金具１の他端には、貫通孔である掛合用孔１ｈが形成されている。この埋込み金具１は単体でも使用されるが、例えば、（Ｃ）図に示すように、上下一対の埋込み金具１，１の間にターンバックル２を取り付けて、ターンバックル２を正転させることにより埋込み金具１，１を、互いに牽引して二つの石を結合したり、逆転させることにより二つの石を解放することができる。
【００１７】
つぎに、水鉢着脱金具６を図３に基づき説明する。その前に水鉢３０と香炉３３を説明すると、水鉢３０の上面において、ガイド孔31hの上方には、香炉３３が水平面内で回転自在に設けられている。この香炉３３の下面には、貫通孔33hが形成されている。
水鉢着脱金具６は、昇降用軸７および昇降フック８から構成されたものである。昇降用軸７は棒材であり、前記ガイド孔31hに挿入されている。この昇降用軸７の上端は、前記香炉３３の下面の貫通孔33hに固定されている。一方、昇降用軸７の下端外周面には、雄ネジ７ｓが形成されており、その下端がガイド溝32gの上端面から下方に突出している。
【００１８】
昇降フック８は、板状の部材であって、素材は、真ちゅうやステンレス等の防錆素材である。この昇降フック８の一端には、図示しない雌ネジ孔が形成されており、他端には上方に向けて屈曲された鈎状の掛合部８ｆが形成されている。
この昇降フック８の一端は、前記ガイド溝32gに挿入されており、図示しない雌ネジ孔が、前記昇降用軸７の雄ネジに螺合している。
このため、昇降用軸７を正逆回転すると、昇降フック８の雌ネジが昇降用軸７の雄ネジを螺進するので、昇降フック８は、ガイド溝32gに案内されて上下に移動する。
【００１９】
よって、香炉３３を水平面内で正転させると、昇降用軸７が正転し、昇降用軸７の雄ネジ７ｓを昇降フック８が上方に螺進し、ガイド溝32gに案内されて上方に移動する。すると、昇降フック８の掛合部８ｆが、下台１４等の掛止部に掛合され、水鉢３０を下側の石に固定できるので、地震等が起こっても水鉢３０が倒壊することを防ぐことができる。
また、香炉３３を水平面内で逆転させると、昇降用軸７が逆転し、昇降用軸７の雄ネジ７ｓを昇降フック８が下方に螺進し、ガイド溝32gに案内されて下方に移動する。すると、昇降用フック３７の掛合部８ｆが、下台１４等の掛合部から解放され、下台１４の前面から水鉢３０を移動することができる。よって、納骨や墓石の移転の際に水鉢３０の移動を容易に行うことができる。
【００２０】
以下に、上記の連結用金具を用いた各種の墓石に関る実施形態を説明する。
なお、上記説明における「下側の石」とは、棹石１６に対する上台１５であり、上台１５に対する下台１４などの下側に配置される石をいう。また、「上側の石」とは、上台１５に対する棹石１６であり、下台１４に対する上台１５などの上側に配置される石をいう。
【００２１】
図４は、神戸型の墓石の実施形態であり、この連結構造は、つぎのとおりである。
１）石固定具３によって連結した石
下台１４と上台１５
上台１５と棹石１６
供物台１７と上台１５
花台４０と水鉢台１８
２）埋込み金具１によって連結した石
下台１４と基礎１１
前石１８と基礎１１
３）水鉢着脱金具６
香炉３３と水鉢３０
【００２２】
図５は、徳島型の墓石の実施形態であり、この連結構造は、つぎのとおりである。
１）石固定具３によって連結した石
苔台１３と下台１４
下台１４と上台１５
上台１５と棹石１６
切り出し花立１９と下台１４
水鉢３０と苔台１３
【００２３】
図６は、高知型の墓石の実施形態であり、この連結構造は、つぎのとおりである。
１）石固定具３によって連結した石
納骨堂５０の天板５６と下台１４
下台１４と上台１５
上台１５と棹石１６
花台４０と天板５６
なお、納骨堂５０の連結構造については後述する。
【００２４】
図７は、愛媛型の墓石の実施形態であり、この連結構造は、つぎのとおりである。
１）石固定具３によって連結した石
棹石１６と角フトン２１
角フトン２１と丸フトン２２
丸フトン２２と上台１５
上台１５と苔台１３
花台４０と花立台４１
香炉３３と香炉台３４
香炉台３４と花立台４１
２）埋込み金具１によって連結した石
花立台４１と基礎１１
【００２５】
図８は、米子型の墓石の実施形態であり、この連結構造は、つぎのとおりである。
１）石固定具３によって連結した石
下台１４と上台１５
上台１５と丸フトン２２
丸フトン２２と棹石１６
花台４０と苔台１３
２）埋込み金具１とターンバックル２によって連結した石
下台１４と基礎１１
３）水鉢着脱金具６
香炉３４と下台１４
【００２６】
図９は、島根型の墓石の実施形態であり、この連結構造は、つぎのとおりである。
１）石固定具３によって連結した石
下台１４と上台１５
上台１５と丸フトン２２
丸フトン２２と棹石１６
花台４０と苔台１３
水鉢３０と花立台１８
２）埋込み金具１とターンバックル２によって連結した石
下台１４と基礎１１
３）水鉢着脱金具６
香炉３４と下台１６
【００２７】
図１０は、京都型の墓石の実施形態であり、この連結構造は、つぎのとおりである。
１）石固定具３によって連結した石
下台１４と上台１５
上台１５と棹石１６
香炉３３と上台１５
供物台３４と花立台１８
２）埋込み金具１によって連結した石
下台１４と基礎１１
前石１８と基礎１１
【００２８】
図１１は、四日市型の墓石の実施形態であり、この連結構造は、つぎのとおりである。
１）石固定具３によって連結した石
下台１４と上台１５
上台１５と棹石１６
供物台１７と上台１５
花台４０と前石１８
２）埋込み金具１によって連結した石
下台１４と基礎１１
前石１８と基礎１１
３）水鉢着脱金具６
水鉢３０と下台１４
【００２９】
図１２は、名古屋型の墓石の実施形態であり、この連結構造は、つぎのとおりである。
１）石固定具３によって連結した石
下台１４と上台１５
上台１５と棹石１６
花台４０と苔台１３
２）埋込み金具１とターンバックル２によって連結した石
下台１４と基礎１１
３）水鉢着脱金具６
香炉３４と下台１４
【００３０】
図１３は、関東型の墓石の実施形態であり、この連結構造は、つぎのとおりである。
１）石固定具３によって連結した石
下台１４と上台１５
上台１５と棹石１６
２）埋込み金具１とターンバックル２によって連結した石
下台１４と基礎１１
３）水鉢着脱金具６
切り出し水鉢３０と下台１４
【００３１】
図１４は、東京型の墓石の実施形態であり、この連結構造は、つぎのとおりである。
１）石固定具３によって連結した石
下台１４と上台１５
上台１５と棹石１６
花台４０と苔台１３
２）埋込み金具１によって連結した石
下台１４と基礎１１
３）水鉢着脱金具６
水鉢３０と下台１４
【００３２】
つぎに、扉付納骨堂の連結構造を図１５〜図１８に基づき説明する。
図１５に示す扉付納骨堂は、基礎コンクリート５１上に、図１６に示す四つの石の地幅５２を載せ、この上に図１７に示す４本の角柱５３、３枚の箱板５４、扉５５を設置し、この上に図１８に示す天板５６を載せている。
連結構造は、つぎのとおりである。
１）石固定具３によって連結した石
角柱５３と地幅５２
２）埋込み金具１によって連結した石
地幅５２と基礎５１
３）その他の金具による連結
上記以外の各石は、Ｌ形金具など公知の金具で連結されている。
【図面の簡単な説明】
【００３３】
【図１】石固定具３の説明図であり、（Ａ）は上部ジョイント５と下部ジョイント４とが分離した状態の説明図、（Ｂ）は上部ジョイント５と下部ジョイント４とで上側の石と下側の石とを連結する要領の説明図である。
【図２】埋込み金具１とターンバックル２の説明図である。
【図３】水鉢固定具６の説明図である。
【図４】神戸型の墓の説明図である。
【図５】徳島型の墓の説明図である。
【図６】高知型の墓の説明図である。
【図７】愛媛型の墓の説明図である。
【図８】米子型の墓の説明図である。
【図９】島根型の墓の説明図である。
【図１０】京都型の墓の説明図である。
【図１１】四日市型の墓の説明図である。
【図１２】名古屋型の墓の説明図である。
【図１３】関東型の墓の説明図である。
【図１４】東京型の墓の説明図である。
【図１５】扉付納骨堂の説明図である。
【図１６】扉付納骨堂の地幅の説明図である。
【図１７】扉付納骨堂の角柱と箱石等の説明図である。
【図１８】扉付納骨堂の天板の説明図である。
【図１９】従来の墓の説明図である。
【符号の説明】
【００３４】
１    埋め込み金具
２    ターンバックル
３    石固定具
４    下部ジョイント
５    上部ジョイント
６    水鉢着脱金具
【図１】
0003107304.tif 000003
【図２】
0003107304.tif 000004
【図３】
0003107304.tif 000005
【図４】
0003107304.tif 000006
【図５】
0003107304.tif 000007
【図６】
0003107304.tif 000008
【図７】
0003107304.tif 000009
【図８】
0003107304.tif 000010
【図９】
0003107304.tif 000011
【図１０】
0003107304.tif 000012
【図１１】
0003107304.tif 000013
【図１２】
0003107304.tif 000014
【図１３】
0003107304.tif 000015
【図１４】
0003107304.tif 000016
【図１５】
0003107304.tif 000017
【図１６】
0003107304.tif 000018
【図１７】
0003107304.tif 000019
【図１８】
0003107304.tif 000020
【図１９】
0003107304.tif 000021